(57)【特許請求の範囲】
【請求項１】
クレーンから吊り下げた重錘を自由落下させて水中地盤を押圧することにより、この水中地盤の表面を所定形状に均す水中地盤の均し方法において、
下端部に着脱可能な地盤均し用アタッチメントを装着したグラブバケットを前記重錘として使用し、前記グラブバケットを構成する一対のシェルに対してこの一対のシェルの上方に設けられた上部ブロックを横方向に移動させることにより、クレーンから吊り下げた前記一対のシェルを開いた状態の前記グラブバケットに装着した前記アタッチメントの下面を水平に対して所望の角度に設定し、この状態で前記重錘を自由落下させることを特徴とする水中地盤の均し方法。
【請求項２】
クレーンから吊り下げた重錘を自由落下させて水中地盤を押圧することにより、この水中地盤の表面を所定形状に均す水中地盤の均し方法において、
下端部に着脱可能な地盤均し用アタッチメントを装着したグラブバケットを前記重錘として使用し、前記グラブバケットを構成する一対のシェルに対してこの一対のシェルの上方に設けられた上部ブロックを横方向に移動させることにより、クレーンから吊り下げた前記一対のシェルを閉じた状態の前記グラブバケットに装着した前記アタッチメントの下面を水平に対して所望の角度に設定し、かつ、前記一対のシェルの内部には、前記一対のシェルを閉じることにより保持される重量調整部材を収容した状態にして、この状態で前記重錘を自由落下させることを特徴とする水中地盤の均し方法。
【請求項３】
前記重量調整部材の種類または量の少なくとも一方を変えることにより前記重錘の重量を調整する請求項２に記載の水中地盤の均し方法。
【請求項４】
前記アタッチメントに収容部を設け、この収容部に重量調整部材を収容する請求項１〜３のいずれかに記載の水中地盤の均し方法。
【請求項５】
前記収容部に収容する前記重量調整部材の種類または量の少なくとも一方を変えることにより前記重錘の重量を調整する請求項４に記載の水中地盤の均し方法。
【請求項６】
一対のシェルに対してこの一対のシェルの上方に設けられた上部ブロックを横方向に移動させることにより、クレーンから吊り下げられた際に水平に対して任意の角度に設定して自由落下させるグラブバケットに着脱自在に装着される水中地盤均し用アタッチメントであって、
前記グラブバケットの下端部に着脱自在に接続される取り付け部と、この取り付け部の下方に配置されて水中地盤の表面を押圧する押圧部とを備え、前記一対のシェルを開いた状態で前記取り付け部が前記グラブバケットの下端部に着脱自在に接続される構成であり、前記一対のシェルを開いた状態で前記グラブバケットの下端部に接続された前記取り付け部が、前記グラブバケットがクレーンから吊り下げられた際に前記上部ブロックを前記一対のシェルに対して横方向に移動させることにより前記押圧部の下面を水平に対して所望の角度に設定した状態で、前記押圧部と前記一対のシェルとの間に介在して前記押圧部を前記一対のシェルに固定して一体化させることを特徴とする水中地盤均し用アタッチメント。
【請求項７】
重量調整部材を収容する収容部が設けられた請求項６に記載の水中地盤均し用アタッチメント。
【発明の詳細な説明】
【技術分野】
【０００１】
本発明は、水中地盤の均し方法および水中地盤均し用アタッチメントに関し、さらに詳しくは、アタッチメントを装着したグラブバケットを自由落下させる重錘として使用し、多大な工数を要することなく、法面を滑らかに均すことができる水中地盤の均し方法および水中地盤均し用アタッチメントに関するものである。
【背景技術】
【０００２】
水中捨石均し工事等、水中の地盤を均す工事を行う工法として、作業船のクレーンブームで吊り上げた重錘を自由落下させる作業を繰り返し行うことにより地盤を押圧し、水中地盤の表面を所定形状に均す方法が知られている（例えば特許文献１、図２参照）。
【０００３】
この従来工法では、自由落下させた重錘の平坦な下面により水中地盤の表面を押圧するので、捨石基礎の天端の水平面の均し作業を行うことは容易である。しかしながら、法面を滑らかに均すことは困難であり、滑らかに均そうとすれば多大な工数が必要となる。例えば、法面の仕上げ造成は潜水士の水中仕上げ手作業に依存せざるを得なかった。
【先行技術文献】
【特許文献】
【０００４】
【特許文献１】特開２００３−１８４０９０号公報
【発明の概要】
【発明が解決しようとする課題】
【０００５】
本発明の目的は、アタッチメントを装着したグラブバケットを自由落下させる重錘として使用し、多大な工数を要することなく、法面を滑らかに均すことができる水中地盤の均し方法および水中地盤均し用アタッチメントを提供することにある。
【課題を解決するための手段】
【０００６】
上記目的を達成するため本発明の水中地盤の均し方法は、クレーンから吊り下げた重錘を自由落下させて水中地盤を押圧することにより、この水中地盤の表面を所定形状に均す水中地盤の均し方法において、下端部に着脱可能な地盤均し用アタッチメントを装着したグラブバケットを前記重錘として使用し、前記グラブバケットを構成する一対のシェルに対してこの一対のシェルの上方に設けられた上部ブロックを横方向に移動させることにより、クレーンから吊り下げた前記一対のシェルを開いた状態の前記グラブバケットに装着した前記アタッチメントの下面を水平に対して所望の角度に設定し、この状態で前記重錘を自由落下させることを特徴とする。
また、本発明の別の水中地盤の均し方法は、クレーンから吊り下げた重錘を自由落下させて水中地盤を押圧することにより、この水中地盤の表面を所定形状に均す水中地盤の均し方法において、下端部に着脱可能な地盤均し用アタッチメントを装着したグラブバケットを前記重錘として使用し、前記グラブバケットを構成する一対のシェルに対してこの一対のシェルの上方に設けられた上部ブロックを横方向に移動させることにより、クレーンから吊り下げた前記一対のシェルを閉じた状態の前記グラブバケットに装着した前記アタッチメントの下面を水平に対して所望の角度に設定し、かつ、前記一対のシェルの内部には、前記一対のシェルを閉じることにより保持される重量調整部材を収容した状態にして、この状態で前記重錘を自由落下させることを特徴とする。
【０００７】
本発明の水中地盤均し用アタッチメントは、一対のシェルに対してこの一対のシェルの上方に設けられた上部ブロックを横方向に移動させることにより、クレーンから吊り下げられた際に水平に対して任意の角度に設定して自由落下させるグラブバケットに着脱自在に装着される水中地盤均し用アタッチメントであって、前記グラブバケットの下端部に着脱自在に接続される取り付け部と、この取り付け部の下方に配置されて水中地盤の表面を押圧する押圧部とを備え、前記一対のシェルを開いた状態で前記取り付け部が前記グラブバケットの下端部に着脱自在に接続される構成であり、前記一対のシェルを開いた状態で前記グラブバケットの下端部に接続された前記取り付け部が、前記グラブバケットがクレーンから吊り下げられた際に前記上部ブロックを前記一対のシェルに対して横方向に移動させることにより前記押圧部の下面を水平に対して所望の角度に設定した状態で、前記押圧部と前記一対のシェルとの間に介在して前記押圧部を前記一対のシェルに固定して一体化させることを特徴とする。
【発明の効果】
【０００８】
本発明によれば、地盤均し用アタッチメントを装着したグラブバケットを重錘として使用し、クレーンから吊り下げたグラブバケットの上部ブロックを横方向に移動させることにより、アタッチメントの下面を水平に対して所望の角度に設定した状態で、自由落下させれば、法面に対して垂直方向から押圧することができる。したがって、従来工法に比して法面をより滑らかに仕上げることができ、しかも多大な工数を要することもない。
【０００９】
前記グラブバケットの一対のシェルを閉じた状態で前記アタッチメントを装着することもできる。この場合、一対のシェルの外壁にアタッチメントを当接させて装着させることができるので、アタッチメントをグラブバケットにより安定した状態で装着できる。また、アタッチメントのサイズを、一対のシェルを開いた状態で装着する場合に比して小さくできるので、水中に自由落下させた際に水の抵抗が小さくなり、水中地盤をより強く押圧することが可能になる。
【００１０】
前記グラブバケットの一対のシェルを開いた状態で前記アタッチメントを装着することもできる。この場合、一対のシェルを閉じた状態で装着する場合に比してアタッチメントのサイズを大きくし易いので、一度の自由落下でより広い範囲の水中地盤を押圧することができる。また、グラブバケットは本来一対のシェルが開いた状態で地盤と衝突することを想定して設計されているので、グラブバケットには想定外の負荷が生じ難い。
【００１１】
前記グラブバケットの一対のシェルの内部に重量調整部材を収容して閉じた状態にすることもできる。これにより、重錘による地盤への押圧力を大きくすることができる。
【００１２】
前記重量調整部材の種類または量の少なくとも一方を変えることにより前記重錘の重量を調整することもできる。例えば、地盤の状況や求められる地盤の強度に合わせて適切な押圧力で均し施工をすることができる。
【００１３】
前記アタッチメントに収容部を設け、この収容部に前記重量調整部材を収容することもできる。これにより、地盤への押圧力を大きくすることができる。
【００１４】
前記収容部に収容する前記重量調整部材の種類または量の少なくとも一方を変えることにより前記重錘の重量を調整することもできる。例えば、地盤の状況や求められる地盤の強度に合わせて適切な押圧力で均し施工をすることができる。
【図面の簡単な説明】
【００１５】
【図１】本発明の水中地盤均し用アタッチメントとこのアタッチメントが装着されるグラブバケットを正面視で例示する説明図である。
【図２】本発明の水中地盤均し用アタッチメントとこのアタッチメントが装着されるグラブバケットを側面視で例示する説明図である。
【図３】一対のシェルの内部に重量調整部材を収容した図２のグラブバケットにアタッチメントを装着した状態を側面視で例示する説明図である。
【図４】図３のアタッチメントおよびグラブバケットを正面視で例示する説明図である。
【図５】図４の上部ブロックを横方向に移動させ、水中地盤均し用アタッチメントおよびグラブバケットを水平に対して傾斜させた状態を正面視で例示する説明図である。
【図６】本発明の水中地盤の均し方法において、重錘により水中地盤を押圧して均している状態を例示する説明図である。
【図７】本発明の水中地盤の均し方法において、重錘を引きずって水中地盤の起伏を均している状態を例示する説明図である。
【図８】別の実施形態の水中地盤均し用アタッチメントを装着したグラブバケットを側面視で例示する説明図である。
【図９】さらに別の実施形態の水中地盤均し用アタッチメントを装着したグラブバケットを側面視で例示する説明図である。
【００１６】
以下、本発明の水中地盤の均し方法および水中地盤均し用アタッチメントを図に示した実施形態に基づいて説明する。図中のＸ方向はグラブバケット２の幅方向、Ｙ方向はグラブバケット２の奥行き方向（一対のシェル２ａの開閉方向）、Ｚ方向はグラブバケット２の高さ方向を示している。また、グラブバケット２の幅方向の中心線Ｃを一点鎖線で示している。
【００１７】
図１〜５に例示する本発明の水中地盤均し用アタッチメント３（以下、アタッチメント３）は、グラブバケット２（以下、バケット２）に装着してバケット２とともに重錘１として使用する。
【００１８】
本発明で使用するバケット２の上端面には上部ブロック２ｂが備わっている。上部ブロック２ｂには、吊りワイヤー２ｃが接続された正面視でＵ字状の部品がピン２ｆによって回転可能に連結されている。上部ブロック２ｂの下方には開閉シーブ２ｄが配置されている。開閉シーブ２ｄは開閉ワイヤー２ｅによって上下移動可能に吊られている。
【００１９】
開閉シーブ２ｄの下端には、連結部材２ｇを介して一対のシェル２ａの上端部が回転可能に連結されている。開閉シーブ２ｄが下方移動することにより、それぞれのシェル２ａがＹ方向両端の回転軸を中心に回転して一対のシェル２ａが開口する。開閉シーブ２ｄが上方移動することにより、一対のシェル２ａは閉口する。
【００２０】
図４に例示するように、上部ブロック２ｂはＸ方向（横方向）に移動可能であり、移動させた所定の位置でバケット２の上端面に固定される。例えば、バケット２の上端面にはＸ方向に適宜の間隔で固定部が設けられていて、それぞれの固定部の位置で上部ブロック２ｂが固定される。
【００２１】
上部ブロック２ｂが中心線Ｃの位置でバケット２の上端面に固定されている状態でバケット２が吊りワイヤー２ｃによって吊り下げられると、バケット２の下面は図１に例示するように水平になる。ところが、図５に例示するように、上部ブロック２ｂが中心線Ｃに対してＸ方向にずれた位置でバケット２の上端面に固定されている状態でバケット２が吊り下げられると、バケット２の下面は水平に対して傾斜することになる。したがって、上部ブロック２ｂを一対のシェル２ａに対してＸ方向に移動させる量に応じて、バケット２の下面の水平に対する角度を変更させることができる。尚、開閉シーブ２ｄは連結部材２ｇに対してＹ方向に延設されたピンにより回転可能に連結されているので、バケット２が傾いても傾かずにそのままの状態に維持される。
【００２２】
吊り下げられたバケット２の下面は水平に対して例えば４５°までの範囲内、或いは３０°までの範囲内で所定の角度に設定される。換言すると、バケット２の下面を水平に対して所定の角度に設定できるように、上部ブロック２ｂの一対のシェル２ａに対するＸ方向の移動範囲が決定されている。
【００２３】
アタッチメント３はバケット２の下端部に着脱自在に接続される取り付け部４と、この取り付け部４の下方に配置され、水中地盤の表面を押圧する押圧部５とを備えている。
【００２４】
取り付け部４は、一対のシェル２ａと押圧部５との間に介在する媒介部材４ａと、アタッチメント３をバケット２に接続する接続部材４ｂとから構成されている。
【００２５】
媒介部材４ａは、一対のシェル２ａと押圧部５とを安定して固定するために、両者の当接面積を大きくする部材である。媒介部材４ａは、アタッチメント３を装着する際の一対のシェル２ａの状態に合わせた形状にするとよい。例えば、この実施形態のように一対のシェル２ａが閉じた状態でアタッチメント３を装着する場合には、媒介部材４ａの上端部を一対のシェル２ａの外壁の下端部の円弧形状に合わせた形状にする。また、一対のシェル２ａのＸ方向およびＹ方向の寸法よりも大きく媒介部材４ａを形成して、一対のシェル２ａの全周囲を媒介部材４ａで包み込むようにするとよい。
【００２６】
接続部材４ｂとしては、例えば両端にフックのついた金属製のワイヤーを使用することができる。接続部材４ｂの構成や配置、数は適宜決定することができる。また、接続部材４ｂを接続固定するアンカー等を適宜、バケット２に設けることもできる。
【００２７】
押圧部５は、例えば金属製の板状部材である。押圧部５の寸法や形状、重量は、押圧したい面積や求められる押圧力等によって適宜選択する。この実施形態では、Ｘ方向、Ｙ方向のそれぞれの寸法を、バケット２の一対のシェル２ａが閉じた状態のＸ方向、Ｙ方向のそれぞれの最大寸法と略同一として、下面を平坦とする直方体形状の鉄板を、押圧部５として使用している。
【００２８】
閉じた状態の一対のシェル２ａの内部には重量調整部材７が収容されている。重量調整部材７は、重錘１の重量を増大させ、調整するために用いる部材である。重量調整部材７としては、石材や土砂等を使用することができる。この実施形態では重量調整部材７を用いているが、必要に応じて用いればよく、その使用は任意である。
【００２９】
このアタッチメント３を用いて水中地盤の法面Ｓを均す方法を以下に説明する。
【００３０】
まず、施工現場周辺の石材や土砂等を重量調整部材７としてバケット２によって所定量すくい、一対のシェル２ａの内部に収容して閉じた状態にする。捨石で水中にマウンド（地盤）を形成する場合は、この捨石を重量調整部材７として用いると特別に重量調整部材７を準備する必要がないので便利である。
【００３１】
次いで、媒介部材４ａの上端部の所定の位置に、下方移動させたバケット２の下端部を当接させて配置する。クレーン８の操作によってバケット２を任意の位置に移動させることができるので、媒介部材４ａへの配置を容易に行うことができる。そして、接続部材４ｂでバケット２とアタッチメント３とを接続し、バケット２とアタッチメント３とを一体化する。
【００３２】
法面Ｓの均し施工を行う場合には、法面Ｓを押圧したい角度に合わせて上部ブロック２ｂを一対のシェル２ａに対して所定の位置まで横方向に移動させて固定する。これにより、吊り下げたバケット２に装着したアタッチメント３（重錘１）の下面、即ち押圧部５の下面を水平に対して所望の角度に設定する。この状態で図６に例示するように、作業船等に搭載されたクレーン８で吊りワイヤー２ｃを用いて吊り下げた重錘１を自由落下させる。
【００３３】
自由落下した重錘１（アタッチメント３）の押圧部５の下面が法面Ｓを押圧する。押圧された法面Ｓは、押圧部５の下面に沿って均される。したがって、押圧部５の下面が所定の傾斜角度に設定されていれば、その傾斜角度に近づくように法面Ｓの表面が均される。重錘１を吊り上げて自由落下させる作業を複数回繰り返し、徐々に押圧位置をずらして変えることにより法面Ｓを広範囲に均していく。
【００３４】
収容する重量調整部材７の種類（密度）または量の少なくとも一方を変更、調整することで、自由落下させた重錘１による水中地盤に対する押圧力を所望の押圧力に設定することができる。重量調整部材７が不要な場合は、一対のシェル２ａの内部は空の状態にする。尚、重錘１の落下高さを調整することによっても押圧力を変更することができる。
【００３５】
重錘１の下面の水平に対する角度を変更したい場合は上部ブロック２ｂの位置を一対のシェル２ａに対して横方向に移動させて変更する。
【００３６】
本発明によれば、アタッチメント３の下面の水平に対する角度を適切に設定した状態にして自由落下させれば、法面Ｓに対して垂直方向から押圧することができる。したがって、従来の工法に比して法面Ｓに生じる段差を小さくしてより滑らかに均すことができる。しかも、アタッチメント３の装着作業とその下面の角度設定を行えばよいので多大な工数を要することもない。
【００３７】
また、アタッチメント３を装着したバケット２を重錘１として使用することができるので、バケット２と重錘１とを別々に用意する必要がなくなる。バケット２を搭載した作業船にアタッチメント３を搭載しておくことで、バケット２を用いて捨石作業等を行った後に、引き続きそのバケット２にアタッチメント３を装着して水中地盤を均す作業を行うことができる。
【００３８】
また、この実施形態では、一対のシェル２ａを閉じた状態でアタッチメント３を装着しているので、一対のシェル２ａの外壁にアタッチメント３を当接させて装着することができる。したがって、一対のシェル２ａを開いた状態で装着する場合に比して、アタッチメント３をバケット２に、より安定した状態で装着できる。また、アタッチメント３のサイズを一対のシェル２ａを開いた状態で装着する場合に比して小さくできるので、水中に自由落下させた際に水の抵抗が小さくなり、水中地盤をより強く押圧することが可能になる。
【００３９】
施工現場で重量調整部材７を一対のシェル２ａの内部に収容して、バケット２の重量を大きくすれば、アタッチメント３の重量を予め大きくする必要がなくなる。そのため、アタッチメント３を軽量化し、輸送コストを削減するには有利になる。
【００４０】
また、一対のシェル２ａの内部に収容する重量調整部材７の種類や量の少なくとも一方を変えることにより重錘１の重量を調整することができるので、例えば、地盤の状況や求められる地盤の強度に合わせて機動的に押圧力を設定できる。これに伴い、施工現場に適切な押圧力で均し施工をすることができる。
【００４１】
この実施形態では、一対のシェル２ａの全周囲を媒介部材４ａで包み込む構造にしているので、アタッチメント３がバケット２に対してずれ難くなっている。それ故、メンテナンスなしで繰り返し多数回、重錘１を自由落下させることができる。
【００４２】
また、図７で示すように重錘１を水中地盤に接地させた状態で法面Ｓに沿って重錘１を引きずることで、法面Ｓの捨石の起伏を大まかに均すこともできる。重錘１を自由落下させて押圧する作業の前に重錘１を引きずる作業を行うと捨石が大まかに均された状態で押圧することができるので、法面Ｓの表面をより均一に仕上げることができる。
【００４３】
本発明では吊り下げたアタッチメント３の下面を水平に設定することもできる。そのため、法面Ｓに限らず、水平面（天端）Ｔを平坦に均すこともできるので高い汎用性を有している。
【００４４】
図８に本発明の別のアタッチメント３を装着したバケット２を例示する。この実施形態では、先の実施形態で例示したアタッチメント３に重量調整部材７を収容する収容部６が設けられている。
【００４５】
収容部６は、取り付け部４の媒介部材４ａおよび／または押圧部５に形成された重量調整部材７を収容できる空間である。この実施形態では、媒介部材４ａの平面視で中央部に形成された孔と、この孔と挿通して押圧部５に形成された凹部とで、アタッチメント３の中央部に配置された１つの収容部６が構成されている。尚、複数箇所に分けて収容部６を設けることもできる。
【００４６】
このアタッチメント３を用いて水中地盤の法面Ｓを均す方法を以下に説明する。
【００４７】
まず、施工現場周辺の石材や土砂等を重量調整部材７としてバケット２によって所定量すくい、収容部６に収容する。次に施工現場周辺の石材や土砂等を重量調整部材７としてバケット２によって所定量すくい、一対のシェル２の内部に収容して閉じた状態にする。捨石で水中にマウンドを形成する場合は、この捨石を重量調整部材７として用いると特別に重量調整部材７を準備する必要がないので便利である。
【００４８】
次いで、媒介部材４ａの上端部の所定の位置に、下方移動させたバケット２の下端部を当接させて配置する。その後のバケット２にアタッチメント３を装着する工程、重錘１を自由落下させる工程は先の実施形態と同様である。
【００４９】
この実施形態では、施工現場で重量調整部材７を収容部６に収容することで、アタッチメント３の重量を大きくできるので、アタッチメント３の重量を予め大きくする必要がなくなる。そのため、アタッチメント３を軽量化し、輸送コストを削減するには有利になる。
【００５０】
また、収容部６に収容する重量調整部材７の種類や量の少なくとも一方を変えることにより重錘１の重量を調整することができるので、例えば、地盤の状況や求められる地盤の強度に合わせて機動的に押圧力を設定できる。これに伴い、施工現場に適切な押圧力で均し施工をすることができる。
【００５１】
図９に本発明のさらに別のアタッチメント３を装着したバケット２を例示する。この実施形態では、一対のシェル２ａを開いた状態のバケット２にアタッチメント３を装着する。この実施形態では、一対のシェル２ａが全開状態になっている。
【００５２】
一対のシェル２ａを開いた状態のバケット２にアタッチメント３を装着する場合には、一対のシェル２ａを閉じた状態に比してアタッチメント３と一対のシェル２ａとの当接面積を確保し難い。そのため、アタッチメント３をバケット２に安定して装着するためには、媒介部材４ａを一対のシェル２ａを開いた状態の形状に合わせて成形し、一対のシェル２ａと当接できる面積を大きくするとよい。例えば、開いた状態の一対のシェル２ａの開口縁に沿った外周形状を有する凹部、或いは、この開口縁が挿入される溝部を媒介部材４ａの表面に形成する。
【００５３】
このアタッチメント３を用いて水中地盤の法面Ｓを均す方法を以下に説明する。
【００５４】
まず、媒介部材４ａの上端部の所定の位置に、下方移動させたバケット２を一対のシェル２ａが開いた状態で挿入させるように配置する。具体的には、開いた状態の一対のシェル２ａの開口縁が媒介部材４ａの上面に挿入された状態にして、一対のシェル２ａを若干閉じるように操作をして媒介部材４ａと一対のシェル２ａとを噛み合わせる。その後のバケット２にアタッチメント３を装着する工程、重錘１を自由落下させる工程は先の実施形態と同様である。
【００５５】
この実施形態では、一対のシェル２ａを開いた状態でアタッチメント３を装着しているので、一対のシェル２ａを閉じた状態で装着する場合に比して、アタッチメント３のサイズを大きくし易い。アタッチメント３のサイズを大きくすると、一度の自由落下でより広い範囲の水中地盤を押圧することができる。
【００５６】
また、バケット２は本来一対のシェル２ａが開いた状態で地盤と衝突することを想定して設計されているので、この実施形態ではバケット２には想定外の負荷が生じ難い。この実施形態のアタッチメント３に対しても上述した収容部６を設けることができる。
【符号の説明】
【００５７】
１  重錘
２  グラブバケット
２ａ  シェル
２ｂ  上部ブロック
２ｃ  吊りワイヤー
２ｄ  開閉シーブ
２ｅ  開閉用ワイヤー
２ｆ  ピン
２ｇ  連結部材
３  水中地盤均し用アタッチメント
４  取付け部
４ａ  媒介部材
４ｂ  接続部材
５  押圧部
６  収容部
７  重量調整部材
８  クレーン
Ｔ  水平面（天端）
Ｓ  法面
Ｃ  グラブバケットの幅方向中心線
【図１】
0006615468.tif 000002
【図２】
0006615468.tif 000003
【図３】
0006615468.tif 000004
【図４】
0006615468.tif 000005
【図５】
0006615468.tif 000006
【図６】
0006615468.tif 000007
【図７】
0006615468.tif 000008
【図８】
0006615468.tif 000009
【図９】
0006615468.tif 000010